(57)【要約】【課題】  電波不良による監視装置とセンター装置との間の伝送異常をセンター装置において早期に検出することができる遠隔監視装置を提供する。【解決手段】  設備やエレベータの異常の有無を検出し、検出情報を通報し得るようにした監視装置１と、上記検出情報を無線通信網を介して遠隔のセンター装置６へ通報する無線装置４とを有する遠隔監視装置において、上記監視装置１は上記無線装置４の電波受信レベルを所定の時間間隔で確認し、電波受信レベルが所定の基準レベルより低い時は、それを上記無線装置４を介して上記センター装置６へ通報するようにした構成とする。【選択図】        図２
2005346163.tif 000002
【特許請求の範囲】
【請求項１】
設備やエレベータの異常の有無を検出し、検出情報を通報し得るようにした監視装置と、上記検出情報を無線通信網を介して遠隔のセンター装置へ通報する無線装置とを有する遠隔監視装置において、上記監視装置は上記無線装置の電波受信レベルを所定の時間間隔で確認し、電波受信レベルが所定の基準レベルより低い時は、それを上記無線装置を介して上記センター装置へ通報するようにしたことを特徴とする遠隔監視装置。
【請求項２】
上記所定の時間間隔を上記無線装置の電波受信レベルに応じて可変としたことを特徴とする請求項１記載の遠隔監視装置。
【請求項３】
設備やエレベータの異常の有無を検出し、検出情報を通報し得るようにした監視装置と、上記検出情報を無線通信網を介して遠隔のセンター装置へ定時通報として定期的に通報する無線装置とを有する遠隔監視装置において、上記監視装置は上記無線装置の電波受信レベルを所定の時間間隔で確認し、上記電波受信レベルを上記定時通報に付加して上記センター装置へ通報するようにしたことを特徴とする遠隔監視装置。
【請求項４】
上記定時通報の通報時間間隔を電波受信レベルに応じて可変としたことを特徴とする請求項３記載の遠隔監視装置。
【請求項５】
上記センター装置は、上記定時通報に付加された電波受信レベルに応じて次の定時通報を待つ時間間隔を可変時間として設定するようにしたことを特徴とする請求項４記載の遠隔監視装置。
【発明の詳細な説明】
【技術分野】
【０００１】
この発明は、遠隔監視装置、例えば設備やエレベータの異常の有無を検出し、検出情報を遠隔のセンター装置へ通報する遠隔監視装置に関するものである。
【背景技術】
【０００２】
従来、この種の遠隔監視装置においては、設備やエレベータの異常を検出する監視装置を設け、検出情報を遠隔のセンター装置へ通報する方式として無線通信網を利用し、電話回線工事や配線工事等を不要とする方式が増加している。
図１は、このような方式における一般的なシステム構成の例を示すブロック図である。
【０００３】
監視装置１は設備やエレベータに設置され、それらの異常の有無を検出してそれぞれに対応した信号情報を発生する異常検出部２と、異常検出部２が発生した信号情報を通報可能なように処理する通報処理部３とから構成されている。
通報処理部３で処理された検出情報は、無線装置４から図示しない無線通信網を介して遠隔地にあるセンター装置６へ電話をかけ、交換機５を介してセンター装置６の回線に接続した後、センター装置６へ通報される。
【０００４】
監視装置１の通報処理部３は、監視装置１とセンター装置６との間が通信可能状態であることを通知するため、異常検出部２による設備やエレベータの異常検出の有無にかかわらず、上述の方式によりセンター装置６へ定期的に定時通報を行なうようにされている。
【０００５】
図２は、図１に示すシステム構成における従来の定時通報処理動作を行なうフローチャートを示す。この図に示すように、ステップＳ１で監視装置１の通報処理部３が上述のように、異常検出部２による異常検出の有無にかかわらず、センター装置６に対して定時通報を行なっている。
【０００６】
次に、ステップＳ２で前回の定時通報後、一定時間が経過したかどうかを確認する。
経過している場合には、ステップＳ１に戻って再度定時通報を行ない、経過していない場合には、ステップＳ２で再度確認する。
この動作を繰り返すことにより、定期的に定時通報が行なわれていた。（例えば特許文献１参照）。
【０００７】
【特許文献１】特開２００１−２９２１１０号公報
【発明の開示】
【発明が解決しようとする課題】
【０００８】
従来の遠隔監視装置は上記のように構成されていたため、センター装置では一定時間以上、監視装置からの定時通報を受信しない場合には、監視装置との間の通信が異常であると判断していた。そのため、監視装置から送出される定時通報の間隔が長い場合には、センター装置での異常の検出が遅れることになり、逆に定時通報の間隔が短い場合には、監視装置とセンター装置間の通信費が高くなるのに加えて、定時通報による処理負担が重くなるという問題点があった。
【０００９】
また、監視装置とセンター装置との間で無線による通信網を利用する場合には、監視装置を設置する場所によって電波状況が異なる可能性があり、また、監視装置の設置時点では電波状況が良好であっても、その後、電波を妨害する建物や電波塔などの建設により電波状況が悪化するという可能性が生じるなどの問題点もあった。
【００１０】
この発明は、上記のような問題点を解消するためになされたもので、監視装置から送出される定時通報の間隔を電波状況に応じて可変とすることにより、電波不良による監視装置とセンター装置との間の伝送異常をセンター装置において早期に検出することができる遠隔監視装置を提供することを目的とする。
【課題を解決するための手段】
【００１１】
この発明に係る遠隔監視装置は、設備やエレベータの異常の有無を検出し、検出情報を通報し得るようにした監視装置と、上記検出情報を無線通信網を介して遠隔のセンター装置へ通報する無線装置とを有する遠隔監視装置において、上記監視装置は上記無線装置の電波受信レベルを所定の時間間隔で確認し、電波受信レベルが所定の基準レベルより低い時は、それを上記無線装置を介して上記センター装置へ通報するようにしたものである。
【発明の効果】
【００１２】
この発明に係る遠隔監視装置は上記のように構成され、監視装置が無線装置の電波受信レベルを所定の時間間隔で確認し、電波受信レベルが所定の基準レベルより低い時は、その旨を無線装置を介してセンター装置へ通報するようにしているため、センター装置において遠隔監視装置の電波状況を把握することが可能となるものである。
【発明を実施するための最良の形態】
【００１３】
実施の形態１．
以下、この発明の実施の形態１を図にもとづいて説明する。なお、実施の形態１の機能構成図は図１と同一であるため、図１を援用して図示及び説明を省略する。
図３は、実施の形態１の動作を説明するフローチャートである。
【００１４】
図３において、ステップＳ１１で監視装置１の通報処理部３は無線装置４に対して電波受信レベルを問い合わせ、現在の電波受信レベル（Ｌ）を取得する。
次に、ステップＳ１２において、通報処理部３は取得した電波受信レベル（Ｌ）と所定の基準レベル（ＬＢ）とを比較し、電波受信レベル（Ｌ）が所定の基準レベル（ＬＢ）より高いかどうかを確認する。
【００１５】
電波受信レベル（Ｌ）が所定の基準レベル（ＬＢ）以下の場合には、ステップＳ１３で電波受信レベルが異常であることを無線装置４を経由してセンター装置６へ通報する。
ステップＳ１２で電波受信レベルが所定の基準レベル以上の場合には、ステップＳ１４へ移行する。ステップＳ１４では前回の定時通報後、一定時間が経過したかどうかをチェックする。一定時間が経過している場合には、ステップＳ１１に戻り、上記の処理を繰り返す。また、一定時間を経過していない場合には、ステップＳ１４のチェックを再度行なう。
【００１６】
実施の形態１は以上のように動作するため、監視装置１の電波状況が悪くなった場合は、その状況をセンター装置６において把握することが可能となる。
【００１７】
実施の形態２．
次に、この発明の実施の形態２を図にもとづいて説明する。なお、実施の形態２の機能構成図は図１と同一であるため、図１を援用して図示及び説明を省略する。
図４は、実施の形態２の動作説明図で、（ａ）はフローチャート、（ｂ）は電波受信レベルと、その問い合わせ間隔との関係を示す表である。
【００１８】
図４において、ステップＳ２１で監視装置１の通報処理部３は無線装置４に対して電波受信レベルを問い合わせ、現在の電波受信レベル（Ｌ）を取得する。
次に、ステップＳ２２において、通報処理部３は取得した電波受信レベル（Ｌ）にもとづいて図４（ｂ）に示すように、次に電波受信レベルを問い合わせる時間間隔（ＴＬ）を算出する。一般に、電波受信レベル（L1、L2…）が低い程、次に電波受信レベルを問い合わせるまでの時間間隔(TL1、TL2…)は短くなる。
【００１９】
その後、ステップＳ２３で、前回の問い合わせ後、電波受信レベルに対応した所定の時間間隔(TL1、TL2…)が経過したかどうかをチェックする。所定の時間間隔が経過している場合にはステップＳ２１に戻り、上記の処理を繰り返す。また、所定の時間間隔が経過していない場合にはステップＳ２３のチェックを再度行なう。
【００２０】
実施の形態２は以上のように動作するため、通報処理部３から無線装置４に対して電波受信レベルを問い合わせる処理負担を軽減することが可能となる。
【００２１】
実施の形態３．
次に、この発明の実施の形態３を図にもとづいて説明する。なお、実施の形態３の機能構成図は図１と同一であるため、図１を援用して図示及び説明を省略する。
図５は、実施の形態３の動作を説明するフローチャートである。
【００２２】
図５において、ステップＳ３１で監視装置１の通報処理部３は無線装置４に対して電波受信レベルを問い合わせ、現在の電波受信レベル（Ｌ）を取得する。
次に、ステップＳ３２において、通報処理部３は取得した電波受信レベル（Ｌ）を定時通報に付加して無線装置４を経由してセンター装置６に通報する。
【００２３】
ステップＳ３３では前回の定時通報後、一定時間が経過したかどうかをチェックする。
一定時間が経過している場合にはステップＳ３１に戻り、上記の処理を繰り返す。
また、一定時間を経過していない場合には、ステップＳ３３のチェックを再度行なう。
【００２４】
実施の形態３は以上のように動作するため、センター装置６において監視装置１の電波受信レベルの状況を定期的に把握することが可能となる。
【００２５】
実施の形態４．
次に、この発明の実施の形態４を図にもとづいて説明する。なお、実施の形態４の機能構成図は図１と同一であるため、図１を援用して図示及び説明を省略する。
図６は、実施の形態４の動作説明図で、（ａ）はフローチャート、（ｂ）は電波受信レベルと、定時通報を行なう時間間隔との関係を示す表である。
【００２６】
図６において、ステップＳ４１で監視装置１の通報処理部３は無線装置４に対して電波受信レベルを問い合わせ、現在の電波受信レベル（Ｌ）を取得する。
次に、ステップＳ４２において、通報処理部３は取得した電波受信レベル（Ｌ）を定時通報に付加して無線装置４を経由してセンター装置６に通報する。
【００２７】
次に、ステップＳ４３で通報処理部３は取得した電波受信レベル（Ｌ）にもとづいて図６（ｂ）に示すように、次に定時通報を行なう時間間隔（ＴＨ）を算出する。
一般に、電波受信レベル（L1、L2…）が低い程、次に定時通報を行なうまでの時間間隔(TH1、TH2…)は短くなる。
【００２８】
その後、ステップＳ４４で、前回の定時通報後、電波受信レベルに対応した定時通報の時間間隔(TH1、TH2…)が経過したかどうかをチェックする。所定の時間間隔が経過している場合にはステップＳ４１に戻り、上記の処理を繰り返す。また、所定の時間間隔が経過していない場合にはステップＳ４４のチェックを再度行なう。
【００２９】
実施の形態４は以上のように動作するため、定時通報を効率よく行なうことが可能となる。
【００３０】
実施の形態５．
次に、この発明の実施の形態５を図にもとづいて説明する。なお、実施の形態５の機能構成図は図１と同一であるため、図１を援用して図示及び説明を省略する。
図７は、実施の形態５の動作説明図で、（ａ）はフローチャート、（ｂ）は電波受信レベルと、定時通報を行なう時間間隔との関係を示す表である。
【００３１】
図７において、ステップＳ５１でセンター装置６において監視装置１から定時通報を受信したかどうかをチェックする。受信している場合には、ステップＳ５２において、定時通報に付加されている電波受信レベル（Ｌ）にもとづいて図７（ｂ）に示すように、センター装置６において次に定時通報を待つ時間間隔(THS)を算出する。一般に、電波受信レベル（L1、L2…）が低い程、次の監視装置１からの定時通報を待つ時間間隔(THS1、THS2…)は短くなる。
【００３２】
その後、ステップＳ５３で監視装置１からの定時通報を受信したかどうかを確認する。
受信している場合には、ステップＳ５２に戻り、受信していない場合には、ステップＳ５４で前回の定時通報から電波受信レベルに対応した定時通報の待ち時間間隔(THS)が経過したかどうかをチェックする。所定の待ち時間が経過しても次の定時通報が受信されていない場合は、ステップＳ５５で監視装置１との通信異常を検出（確認）する。
【００３３】
一般に、センター装置６における定時通報の待ち時間間隔(THS)は、監視装置１が定時通報を行なう時間間隔(TH)より大きく設定されている。
また、ステップＳ５４で所定の待ち時間間隔が経過していない場合はステップＳ５３に戻る。
【００３４】
実施の形態５は以上のように動作するため、監視装置１とセンター装置６との間の通信異常を早期に検出することが可能となる。
【図面の簡単な説明】
【００３５】
【図１】遠隔監視装置の一般的なシステム構成を示す機能構成図である。
【図２】従来の定時通報処理の動作を説明するフローチャートである。
【図３】この発明の実施の形態１の動作を説明するフローチャートである。
【図４】この発明の実施の形態２の動作説明図で、（ａ）はフローチャート、（ｂ）は電波受信レベルと、その問い合わせ間隔との関係を示す表である。
【図５】この発明の実施の形態３の動作を説明するフローチャートである。
【図６】この発明の実施の形態４の動作説明図で、（ａ）はフローチャート、（ｂ）は電波受信レベルと、定時通報を行なう時間間隔との関係を示す表である。
【図７】この発明の実施の形態５の動作説明図で、（ａ）はフローチャート、（ｂ）は電波受信レベルと、定時通報を待つ時間間隔との関係を示す表である。
【符号の説明】
【００３６】
１  監視装置、  ２  異常検出部、  ３  通報処理部、  ４  無線装置、  ５  交換機、  ６  センター装置。
【図１】
2005346163.tif 000003
【図２】
2005346163.tif 000004
【図３】
2005346163.tif 000005
【図４】
2005346163.tif 000006
【図５】
2005346163.tif 000007
【図６】
2005346163.tif 000008
【図７】
2005346163.tif 000009